(57)【要約】【課題】ライブビュー画像を拡大表示して撮影画像の任意の位置のピント状態やブレ状態を確認する。【解決手段】被写体像のスルー画像の中から拡大表示する拡大領域の位置を設定し、拡大領域に相当する被写体像を拡大して表示するときに、被写体像の拡大表示の最中に拡大領域の位置の変更指示がなされると、被写体像の拡大表示状態を維持したまま拡大領域を移動させ、その拡大領域に相当する被写体像を表示する。【選択図】図２
2008211630.tif 000002
【特許請求の範囲】
【請求項１】
撮影光学系により結像された被写体像を撮像する撮像手段と、
前記撮像手段で得られた前記被写体像のスルー画像を表示する表示手段と、
前記被写体像のスルー画像のうち、前記表示手段上に拡大表示させる拡大領域の位置を設定する拡大領域設定手段と、
前記拡大領域設定手段で設定された前記拡大領域に相当する被写体像を拡大して、前記表示手段上に表示せしめる表示制御手段と、を備え、
前記表示制御手段は、前記被写体像の拡大表示の最中に前記拡大領域設定手段による前記拡大領域の位置の変更指示がなされると、前記被写体像の拡大表示状態は維持したままで前記拡大領域を移動させながら、当該拡大領域に相当する被写体像を前記表示手段上に表示せしめることを特徴とする撮像装置。
【請求項２】
請求項１に記載の撮像装置において、
前記表示制御手段は、前記拡大領域の前記被写体像を拡大して前記表示手段の表示画面に表示すると、前記表示画面に前記被写体像の欠落部が現れる場合には、撮影者が前記欠落部の出現を認識できるような表示形態で、前記欠落部を前記表示手段上に表示せしめることを特徴とする撮像装置。
【請求項３】
請求項１または請求項２に記載の撮像装置において、
被写界内から所定の被写体情報を検出するための検出領域を設定する検出領域設定手段をさらに備え、
前記拡大領域設定手段は、前記拡大領域として前記検出領域を含む領域を設定することを特徴とする撮像装置。
【請求項４】
請求項３に記載の撮像装置において、
前記表示制御手段は、前記検出領域が、前記表示手段の表示画面中央に位置するように前記被写体像を前記表示手段上に拡大表示せしめることを特徴とする撮像装置。
【請求項５】
請求項１に記載の撮像装置において、
設定された前記拡大領域の被写体像を拡大して前記表示手段の表示画面に表示すると、前記表示画面に前記被写体像の欠落部が現れるか否かを判別する判別手段を有し、
前記拡大領域設定手段は、前記判別手段により前記欠落部が現れると判別された場合には、前記表示画面に前記欠落部が現れないように前記拡大領域を変更することを特徴とする撮像装置。
【請求項６】
請求項５に記載の撮像装置において、
被写界内から所定の被写体情報を検出するための検出領域を設定する検出領域設定手段をさらに有し、
前記拡大領域設定手段は、前記拡大領域として前記検出領域を含む領域を設定することを特徴とする撮像装置。
【請求項７】
請求項５または請求項６に記載の撮像装置において、
前記拡大領域設定手段は、前記表示制御手段により、前記検出領域が、前記表示手段の表示画面内の任意の位置に表示されることを許容される表示モードに設定されているときに、前記拡大領域の変更を行うことを特徴とする撮像装置。
【請求項８】
請求項７に記載の撮像装置において、
前記判別手段はさらに、前記被写体像の拡大表示の最中に前記拡大領域設定手段による前記拡大領域の位置の変更指示がなされると、その変更指示にしたがって前記拡大領域の位置を変更すると前記欠落部が現れるか否かを判別し、
前記表示制御手段は、前記判別手段により前記欠落部が現れると判別されると、前記変更指示にしたがって、前記拡大領域の位置を変更することなく、前記表示画面内における前記検出領域の位置を変更して表示せしめることを特徴とする撮像装置。
【請求項９】
請求項３、４、６、７、８のいずれか一項に記載の撮像装置において、
前記検出領域設定手段は、前記表示手段が前記拡大表示を行う前に、複数の検出領域の中から任意の領域を選択設定可能であり、
前記拡大領域設定手段は、前記表示手段が前記拡大表示を行う前に前記検出領域設定手段により選択設定された検出領域を含む領域を、前記拡大領域として設定することを特徴とする撮像装置。
【請求項１０】
請求項３、４、６〜９のいずれか一項に記載の撮像装置において、
前記撮影光学系の撮影画面内に設定された焦点検出位置で前記撮影光学系の焦点検出を行う焦点検出手段を備え、
前記検出領域設定手段は、前記検出領域として焦点検出位置を設定することを特徴とする撮像装置。
【発明の詳細な説明】
【技術分野】
【０００１】
本発明は撮像装置に関する。
【背景技術】
【０００２】
画像記録モード時に被写体のモニター画像上にフォーカス確認用のフォーカス枠を表示するとともに、必要に応じてフォーカス枠内の画像を拡大表示してピント状態やブレ状態を確認できるようにした撮像装置が知られている（例えば、特許文献１参照）。
【０００３】
この出願の発明に関連する先行技術文献としては次のものがある。
【特許文献１】特開平１１−１９６３０１号公報
【発明の開示】
【発明が解決しようとする課題】
【０００４】
しかしながら、上述した従来の撮像装置は、フォーカスエリア内の画像を拡大表示しているだけであり、フォーカスエリアを中心に多段階に拡大を行うとともに、拡大しながらフォーカスエリアを移動し、フォーカスエリア周辺のピント状態やブレ状態を確認することができないという問題がある。
【課題を解決するための手段】
【０００５】
被写体像のスルー画像の中から拡大表示する拡大領域の位置を設定し、拡大領域に相当する被写体像を拡大して表示するときに、被写体像の拡大表示の最中に拡大領域の位置の変更指示がなされると、被写体像の拡大表示状態を維持したまま拡大領域を移動させ、その拡大領域に相当する被写体像を表示する。
【発明の効果】
【０００６】
本発明によれば、撮影画面内の任意の位置のピント状態やブレ状態を撮影前に容易に確認することができる。このため、撮影者は、もしピント状態が好ましい状態でないことを確認すると、撮影前に種々の対処（例えばその任意の位置で再度ＡＦ動作をしたり、あるいはマニュアルでフォーカス合わせをするなど）をすることも可能となる。
【発明を実施するための最良の形態】
【０００７】
図１は一実施の形態のデジタル一眼レフカメラの構成を示す。このカメラの自動焦点調節装置（以下、ＡＦ装置という）は、位相差検出方式ＡＦとコントラスト検出方式ＡＦのハイブリッドＡＦ装置である。一実施の形態のカメラは、カメラボディ１にレンズ鏡筒２０が装着される。なお、この一実施の形態ではレンズ交換式カメラを例に上げて説明するが、本発明はレンズ交換式カメラに限定されず、レンズ固定式カメラに対しても適用できる。
【０００８】
カメラボディ１は、撮像素子２、シャッター３、焦点検出光学系４、焦点検出センサー５、焦点検出演算回路６、カメラ制御回路７、駆動回路８、メインミラー９、サブミラー１０、ファインダースクリーン１１、ファインダーＬＣＤ１２、ペンタプリズム１３、測光レンズ１４、測光センサー１５、接眼レンズ１６、ＬＣＤカラーモニター１７、操作部材１８などを備えている。
【０００９】
撮像素子２は、レンズ鏡筒２０内の撮影レンズ２３により結像した被写体像を電気信号に変換して出力する。シャッター３は、レリーズボタン（不図示）の全押し時（シャッターレリーズ時）に露出演算結果または撮影者が手動で設定したシャッター速度の時間だけ開放され、撮像素子２が露光される。また、シャッター３はコントラスト検出方式ＡＦおよびライブビューモード設定時に開放され、撮像素子２が露光される。焦点検出光学系４、焦点検出センサー５および焦点検出演算回路６は位相差検出方式の焦点検出装置を構成し、撮影レンズの焦点調節状態を示すデフォーカス量を検出する。
【００１０】
制御回路７は図示しないマイクロコンピューターとメモリなどの周辺部品から構成され、測光、焦点検出、撮影などのシーケンス制御や、露出演算、コントラスト検出方式ＡＦにおける焦点評価値演算などの演算制御を行う。駆動回路８は、カメラボディ１内に設けられるレンズおよび絞り駆動用アクチュエーター２５を駆動制御する。ファインダーＬＣＤ１２は、ファインダースクリーン１１上の被写体像に焦点検出エリアを重畳表示するとともに、被写体像外にシャッター速度、絞り値、撮影枚数などの撮影情報を表示する。測光センサー１５は、撮影画面を複数の領域に分割して各領域ごとの輝度に応じた測光信号を出力する。
【００１１】
ＬＣＤモニター（白黒またはカラーの背面モニター）１７はカメラボディ１の背面に設けられ、被写体像と撮影情報を表示する。このモニター１７は、静止画撮影後の再生表示や、動画記録中の画像表示、および撮影待機中でのスルー画表示の表示機能を併せ持っている。動画記録中や撮影待機中のスルー画表示中はまた、モニター１７は撮像素子２からの連続出力画像を制御回路７で画像処理（後述する拡大処理やシフト処理など）した後の画像を表示する。
【００１２】
レンズ鏡筒２０は、フォーカシングレンズ２１、ズーミングレンズ２２、絞り２４、レンズメモリ２６などを備えている。なお、図１ではフォーカシングレンズ２１とズーミングレンズ２２を一つの撮影レンズ２３で代表して表す。フォーカシングレンズ２１はアクチュエーター２５により光軸方向に駆動され、撮影レンズ２３の焦点調節を行うレンズである。ズーミングレンズ２２はアクチュエーター２５により光軸方向に駆動され、撮影レンズ２３の焦点距離を変えるレンズである。絞り２４はアクチュエーター２５に駆動されて絞り開口径を変化させる。レンズメモリ２６には、撮影レンズ２３の開放Ｆ値や焦点距離などの撮影光学系に関する情報が記憶されている。なお、レンズ鏡筒２０には、マニュアルフォーカスモード時にはフォーカシングレンズ２１の位置を手動調整可能な操作環（不図示）が設けられている。
【００１３】
カメラボディ１には撮影者が操作する操作部材１８が配置される。操作部材１８には、レリーズボタンの半押し時にオンするレリーズ半押しスイッチ、レリーズボタンの全押し時オンするレリーズ全押しスイッチ、焦点検出エリアの移動を行うためのエリア移動スイッチ、背面モニター１７に表示される被写体像を任意の倍率で画像処理により拡大または縮小するための像拡縮スイッチ、ライブビューモードや画像欠落部表示モード（詳細後述）などの撮影モードを切り換えるコマンドダイヤル、撮像素子２の出力を用いたコントラスト検出方式ＡＦを実行するためのコントラストＡＦスイッチ、焦点検出センサー５の出力を用いた位相差検出方式ＡＦを実行するための位相差ＡＦスイッチなどが含まれる。なお、フォーカシングレンズの位置を調節操作するためのマニュアルフォーカススイッチを設けておいてもよい。このマニュアルフォーカススイッチが操作者により操作されると、その操作量と操作方向に応じてフォーカシングレンズ２１はアクチュエーター２５により光軸方向に駆動される。
【００１４】
撮影時、コントラスト検出方式ＡＦ時およびスルー画表示中、動画記録中以外は、メインミラー９とサブミラー１０が図１に示すように撮影光路中に置かれる。このとき、撮影レンズ２３を透過した被写体からの光の一部は、メインミラー９に反射されてファインダースクリーン１１へ導かれ、スクリーン１１上に被写体像を結像する。この被写体像は、ペンタプリズム１３と接眼レンズ１６を介して撮影者の目へ導かれるとともに、ペンタプリズム１３と測光用レンズ１４を介して測光用センサー１５へ導かれる。制御回路７は、測光用センサー１５から出力される測光領域ごとの測光信号に基づいて露出演算を行い、撮影画面の輝度に応じたシャッター速度と絞り値を算出する。なお、手動露出撮影モード設定時には、撮影者が操作部材１８を操作して設定したシャッター速度と絞り値を用いて撮影が行われる。なお、スルー画表示中で（ライブビューモード時）にモニター１７に表示される画像は、制御回路７により被写体の光軸に応じて撮影感度を自動調整した状態でモニター表示されるが、このときのシャッター速度（スルー画表示中のシャッター速度）は、予め決められている専用のシャッター速度に設定される。なお、スルー画表示中の絞り値は、露出演算で算出された絞り値、または操作部材１８で設定された絞り値が使用される。
【００１５】
一方、撮影レンズを通過した被写体からの光の他の一部は、メインミラー９を透過してサブミラー１０により反射され、焦点検出光学系４を介して焦点検出センサー５へ導かれる。この一実施の形態では撮影画面内の複数の位置に焦点検出エリアが設定されており、焦点検出センサー５は、各焦点検出エリアごとに撮影レンズ２３の焦点調節状態を示す焦点検出信号を出力する。焦点検出演算回路６は、各焦点検出エリアごとの焦点検出信号に基づいて撮影レンズ２３の焦点調節状態を示すデフォーカス量を算出する。制御回路７はデフォーカス量に基づいてレンズ駆動量を算出し、駆動回路８によりアクチュエーター２５を駆動してフォーカシングレンズ２１を合焦駆動する。
【００１６】
撮影時、コントラスト検出方式ＡＦ時およびライブビューモード設定時には、メインミラー９とサブミラー１０が撮影光路から退避され（ミラーアップ）、シャッター３が開いて撮影レンズ２３を透過した被写体からの光束が撮像素子２へ導かれる。コントラスト検出方式ＡＦ時には、制御回路７が、撮像素子２の焦点検出エリアの画素出力に基づいて合焦位置を検出し、駆動回路８によりアクチュエーター２５を駆動してフォーカシングレンズ２１を合焦駆動する。また、撮影時には、撮像素子２により撮影を行う。
【００１７】
図２(ａ)〜(i)は、ライブビュー時の画像（スルー画像）の拡大とフォーカスエリアＦＡの移動にともなうライブビュー画像（スルー画像）の変化を示す図である。ライブビュー画像はカメラ背面のＬＣＤカラーモニター１７に表示され、ここでは被写体としてアルファベット文字“Ａ”（図２(ａ)に符号３１で示す）の画像が表示されている例を示す。図２(ａ)は撮像素子２で撮影した全画像（有効画素の画像）をモニター画面に表示した状態を示す。この画像表示では、四角形の枠で囲われたフォーカスエリアＦＡがモニター画面の中央にある。この状態からフォーカスエリアＦＡを“被写体Ａ”の位置まで移動する操作が行われると、図２(ｂ)に示すように表示画像を動かさずにフォーカスエリアのみをモニター画面の中央から被写体Ａの位置まで移動する。
【００１８】
図２(ｂ)に示すスルー画像の表示状態で操作部材１８の中の像拡縮スイッチにより画像の拡大操作が行われると、図２(ｃ)に示すようにフォーカスエリアＦＡをモニター画面中央に移動させながら、フォーカスエリアＦＡを含む拡大領域ＥＡ（図２(ｇ)）の画像とフォーカスエリアＦＡを制御回路７で行われている画像処理で切り出して拡大する。画像の拡大操作時に、図２(ｊ)に示すようにモニター画面の表示画像（拡大領域ＥＡの画像）が撮影画像範囲を超えたときは、図２(ｆ)に示すようにモニター画面内の撮影画像範囲を超えた部分３２に撮影者が認識できるような表示色や模様を表示する。この明細書ではこの部分３２を被写体像欠落部と呼ぶ。
【００１９】
図２(ｃ)に示す状態から操作部材１８の中のエリア移動スイッチによりフォーカスエリアＦＡの移動操作（エリアＦＡを右にシフトする操作、換言すると拡大領域ＥＡを右にシフトする操作）が行われると、制御回路７は画像処理により図２(ｄ)に示すようにフォーカスエリアＦＡをモニター画面中央に固定したまま表示画像（拡大領域ＥＡの位置（図２(ｈ)）を移動する。図２(ｄ)は、図２(ｈ)に示すように表示画像（拡大領域ＥＡ）が撮影画像範囲の右端まで移動した状態にあり、この状態からさらにエリア移動スイッチによるフォーカスエリアＦＡの移動操作が行われると、フォーカスエリアＦＡをモニター画面中央に固定したまま表示画像（拡大領域ＥＡ）を移動する。その結果、図２(ｉ)に示すように表示画像（拡大領域ＥＡ）が撮影画像範囲を超え、図２(ｅ)に示すようにモニター画面に被写体像欠落部３２が表示される。
【００２０】
このように、ライブビュー画像の拡大時にフォーカスエリアＦＡを常にモニター画面中央に表示することによって、最もピントを合わせたいフォーカスエリアＦＡ内のピント状態だけでなく、フォーカスエリアＦＡ周辺のピント状態をも確認することができる。そして、例えば図２(ｅ)の状態で操作部材１８の中のコントラストＡＦスイッチをＯＮ操作すると、図２(ｅ)のフォーカスエリアＦＡにおいて撮像素子２を使ったコントラスト方式ＦＡが行われ、そのＡＦ後の画像（図２(ｅ)のように拡大されたままの画像）がモニター画面に表示されることになる。その表示の結果、もしフォーカスエリアＦＡに合焦しなかったことを使用者が確認すると、例えばマニュアルフォーカスモードに切り換えてレンズ鏡筒の操作環もしくはカメラのマニュアルフォーカススイッチを使って手動で合焦動作をすることもできる（モニター画面上の拡大表示でフォーカス状態を確認しながら）。そして、その状態（マニュアルでフォーカス合わせをした状態）でレリーズ全押し操作をすれば、そのシフトさせたＡＦエリアに確実に合焦した画像を得ることができるので、フォーカスが合わずに撮り直しする不都合を生じることがない。なお、もし図２(ｅ)のフォーカスエリアＦＡでコントラストＡＦスイッチをＯＮにしても合焦できなかった場合には、その旨をモニター１７上に表示するとともに、マニュアルフォーカスモードに切り換える旨を促す表示を行うようにしてもよい。
【００２１】
図２では、ライブビュー画像の拡大とフォーカスエリアＦＡの移動にともない、モニター画面の表示画像が撮影画像範囲を超えた被写体像欠落部３２に、撮影者が認識できるような表示色や模様を表示する例を示したが、表示画像が撮影画像範囲を超えない範囲で表示画像を移動制限し、モニター画面に被写体像欠落部３２が表示されないように、表示画像を移動させるとともに、必要に応じてフォーカスエリアＦＡをモニター画面中央から移動するようにしてもよい。
【００２２】
図３(ａ)〜(ｉ)は、モニター画面に被写体像欠落部を表示しない場合の、ライブビュー時の画像（スルー画像）の拡大とフォーカスエリアＦＡの移動にともなうライブビュー画像（スルー画像）の変化を示す図である。ここでは、図２と同様に被写体としてアルファベット文字Ａの画像が表示されている例を示す。図３(ａ)は撮像素子２で撮影した全画像をモニター画面に表示した状態を示す。この画像表示では、四角形の枠で囲われたフォーカスエリアＦＡがモニター画面中央にある。ライブビュー開始直後のＡＦエリア位置は、直前の位相差エリア位置や、コントラストＡＦエリアの位置を加味した位置で表示させる。この状態からフォーカスエリアＦＡを被写体Ａの位置まで移動する操作が行われると、図３(ｂ)に示すように表示画像を動かさずにフォーカスエリアＦＡのみをモニター画面中央から被写体Ａの位置まで移動する。
【００２３】
図３(ｂ)に示すライブビュー画像の表示状態で像拡縮スイッチによる画像の拡大操作が行われると、制御回路７は画像処理により図３(ｆ)に示すようにフォーカスエリアＦＡをモニター画面中央に移動させながら、フォーカスエリアＦＡを含む拡大領域ＥＡ（図３(ｇ)）の画像とフォーカスエリアＦＡを拡大しようとするが、モニター画面の表示画像が撮影画像範囲を超えている場合には、図３(ｃ)に示すようにモニター画面内の撮影画像範囲を超えた被写体像欠落部３２が現れないように、図３(ｇ)に示すように撮影画像がある位置まで表示画像範囲（拡大領域ＥＡ）をシフトさせる。これにより、図３(ｃ)に示すように被写体ＡとフォーカスエリアＦＡがモニター画面中央から移動する。
【００２４】
図３(ｃ)に示す状態からさらに像拡縮スイッチによるライブビュー画像の拡大操作（図３(ｃ)における拡大率よりもさらに拡大率を上げる操作）が行われると、制御回路７は画像処理により図３(ｈ)、図３(ｄ)に示すようにフォーカスエリアＦＡを中心にした拡大領域ＥＡの中の画像を拡大する。図３(ｄ)に示す状態からさらにエリア移動スイッチによるフォーカスエリアＦＡの移動操作（エリアＦＡを右にシフトする操作、換言すると拡大領域ＥＡを右にシフトする操作）が行われ、図３(ｉ)に示すように表示画像が撮影画像範囲の右端まで移動すると、表示画像をそれ以上移動させられない。それでもまだエリア移動スイッチによるエリアＦＡの右シフト操作が加えられた場合には、図３(ｅ)に示すように表示画像を動かさずにフォーカスエリアを右に移動する。そして、例えば図３(ｅ)の状態でコントラストＡＦスイッチをＯＮしたときのカメラの動作や、またこのときにピントが合焦しなかった場合にマニュアルＡＦモードに切り換えること等は図２の説明において既述した通りである。
【００２５】
図４は一実施の形態の撮影処理を示すフローチャートである。カメラ制御回路７は、操作部材１８のコマンドダイヤルによりライブビューモードが設定されるとこの撮影処理を実行する。ステップ１において、操作部材１８のエリア移動スイッチにより焦点検出エリアの変更が行われたか否かを確認し、エリア変更が行われるとステップ２へ進む。ステップ２では、エリア移動スイッチの操作に応じてファインダーＬＣＤ１２により焦点検出エリア表示を移動する。このステップ２における焦点検出エリアは、焦点検出センサー５上で選択される焦点検出エリアである。ステップ３で操作部材１８のレリーズ半押しスイッチによりレリーズボタンの半押し操作を検出し、半押し操作があるとステップ４へ進む。ステップ４ではステップ１、２で選択されている焦点検出エリアで位相差検出方式ＡＦを行い、駆動回路８およびアクチュエーター２５によりフォーカシングレンズ２１の焦点調節駆動を行う。
【００２６】
ステップ５で操作部材１８のレリーズ全押しスイッチによりレリーズボタンの全押し操作を検出し、全押し操作があるとステップ６へ進み、全押し操作がなければステップ１へ戻って上述した処理を繰り返す。全押し操作後のステップ６でメインミラー９とサブミラー１０を撮影光路から退避させ（ミラーアップ）、続くステップ７でモニター１７に撮像素子２で撮影した画像のライブビュー表示を開始する。さらにステップ８では現在選択されている焦点検出エリア（ステップ１、２で選択）をモニター１７のスルー画像に重畳して表示する。このとき表示される焦点検出エリア中心位置は、上記ステップ１、２で選択された焦点検出センサー５上の焦点検出エリアを、コントラスト検出方式ＡＦで用いられる撮像素子２上における焦点検出エリアに置き換えた上で表示される（ステップ１、２で選択されたエリアと位置的に一致する撮像素子２上のエリアを焦点検出エリアとして表示する）。なお、位相差ＡＦエリアとコントラストＡＦエリアの大きさは違ってもよく、この場合には各エリアの重心位置（中心位置）が一致するように前述の置き換えが行われる。
【００２７】
なお、本実施の形態ではレリーズボタンの押圧によりライブビューモードに移行するものとしたが、ライブビュー専用ボタンをレリーズボタンとは別に設けるようにしてもよい。この場合、図４のフローはステップ３〜５までの動作をライブビューボタン（ライブビュースイッチ）のＯＮ操作によって実行することになる。
ステップ９において操作部材１８のエリア移動スイッチにより焦点検出エリアＦＡの変更（換言すれば拡大領域ＥＡの変更）が行われたか否かを確認し、エリア変更が行われるとステップ１０へ進み、図５に示すエリア移動サブルーチンを実行する。
【００２８】
図５のステップ３１において、撮像素子２で撮影した全画像がモニター１７の画面に表示されているか否かを確認し、撮影画像の全画像が表示されているときはステップ３２へ進む。ステップ３２では操作部材１８のエリア移動スイッチの操作に応じてコントラスト検出方式ＡＦで用いられる撮像素子２上の焦点検出エリアＦＡを移動する。例えば図２(ａ)に示す位置から(ｂ)に示す位置へ焦点検出エリアＦＡを移動する。この撮像素子２上におけるフォーカスエリアの移動は、上記ステップ１、２における焦点検出センサー５上におけるフォーカスエリア移動よりも、より細かい移動幅で連続的に移動させることができる（最小単位としては１画素単位でシフトさせることも可能である）。
【００２９】
一方、ステップ３１で撮影画像の全画像が表示されていないとき、すなわち撮影画像の拡大表示が行われているときはステップ３３へ進み、拡大表示中の焦点検出エリア移動操作に応じて表示画像（拡大領域ＥＡ）を移動したときに、表示画像（拡大領域ＥＡの画像）が撮影画像範囲を超えて被写体像欠落部がモニター画面に表示されるか否かを判別する。つまり、図２(ｄ)に示す拡大表示中の焦点検出エリアの移動にともない、図２(ｅ)に示すようにモニター画面に被写体像欠落部３２が現れるか否かを判別する。
【００３０】
拡大表示中の焦点検出エリア移動操作によりモニター画面に被写体像欠落部が現れないと判別された場合はステップ３４へ進み、焦点検出エリアＦＡをモニター画面の中央に固定したまま、焦点検出エリア移動操作に応じて表示画像を移動する。つまり、図２(ｃ)に示す拡大表示状態で焦点検出エリアの移動操作が行われると、図２(ｄ)に示すように焦点検出エリアＦＡをモニター画面中央に固定したまま、画像処理により表示画像（拡大領域ＥＡ）を移動する。
【００３１】
ステップ３３で拡大表示中の焦点検出エリア移動操作によりモニター画面に被写体像欠落部が現れると判別された場合はステップ３５へ進み、モニター画面に被写体像欠落部の表示を許可する“画像欠落部表示モード”（図２で説明した表示モード）が選択されているか否かを判別する。画像欠落部表示モードが選択されている場合にはステップ３６へ進み、図２(ｉ)、(ｅ)に示すように、フォーカスエリアＦＡをモニター画面中央に固定したまま表示画像（拡大領域ＥＡの画像）を移動し、被写体像欠落部には撮影者が認識できるような表示色や模様を表示する。
【００３２】
一方、画像欠落部表示モードが選択されていない場合はステップ３７へ進み、図３(ｉ)、(ｅ)に示すように、表示画像（拡大領域ＥＡの画像）を撮影画像範囲の端まで移動した後は、その位置で表示画像（拡大領域ＥＡ）を固定したまま焦点検出エリアＦＡを移動する。焦点検出エリアＦＡの移動処理を終了したら図４のステップ１１へリターンする。
【００３３】
図４のステップ１１において操作部材１８の像拡縮スイッチによりライブビュー画像（スルー画像）の拡大または縮小操作が行われたか否かを判別し、拡縮操作が行われたときはステップ１２へ進む。ステップ１２では図６に示す拡大縮小サブルーチンを実行する。
【００３４】
図６のステップ４１において焦点検出エリアＦＡをモニター画面中央に固定して表示画像の拡大または縮小を行った場合に、モニター画面に被写体像欠落部が現れるか否かを判別する。被写体像欠落部が現れない場合はステップ４５へ進み、焦点検出エリアをモニター画面中央に固定したまま画像処理により表示画像の拡大または縮小を行う。
【００３５】
一方、モニター画面に被写体像欠落部が現れる場合はステップ４２へ進み、操作部材１８のコマンドダイヤルにより画像欠落部表示モードが設定されているか否かを確認する。画像欠落部表示モードが設定されている場合はステップ４３へ進み、焦点検出エリアＦＡをモニター画面中央に固定したまま、画像処理により表示画像の拡大または縮小を行い、被写体像欠落部には撮影者が認識できるような表示色や模様を表示する。図２に示す例では、図２(ｂ)に示す状態から拡大すると図２(ｆ)に示すようにモニター画面に被写体像欠落部３２が現れるため、この被写体像欠落部３２に撮影者が認識できるような表示色や模様を表示する。
【００３６】
画像欠落部表示モードが設定されていない場合はステップ４４へ進み、表示画像の拡大または縮小を行うときにモニター画面上に被写体像欠落部が現れないように撮像画像範囲内で表示画像範囲を設定し、画像処理により表示画像の拡大または縮小を行う。上述した図３に示す例では、図３(ｂ)の状態で画像（拡大領域ＥＡ）のシフトなしに拡大すると図３(ｆ)に示すように被写体像欠落部３２が現れるため、図３(ｇ)に示すように撮像画像範囲内で表示画像範囲（拡大領域ＥＡ）をシフトし、図３(ｃ)に示すようにモニター画面に被写体像欠落部が現れないようにする。表示画像の拡大処理または縮小処理を終了したら図４のステップ１３へリターンする。
【００３７】
図４のステップ１３において、操作部材１８のコントラストＡＦスイッチによりコントラスト検出方式ＡＦの実行が指示されているか否かを確認する。コントラスト検出方式ＡＦの実行が指示されているときはステップ１４へ進み、コントラスト検出方式ＡＦを実行する。すなわち、フォーカシングレンズ２１を所定間隔で移動させながら撮像素子２により撮影を行って焦点評価値を算出し、焦点評価値が最大となる合焦位置にフォーカシングレンズ２１を駆動する。コントラスト検出方式ＡＦ実行後はステップ１９へ進む。
【００３８】
一方、コントラスト検出方式ＡＦの実行指示がないときはステップ１５へ進み、位相差ＡＦスイッチの操作により位相差検出方式ＡＦの実行が指示されているか否かを確認する。位相差検出方式ＡＦの実行が指示されているときはステップ１６へ進み、メインミラー９とサブミラー１０を撮影光路に戻し（ミラーダウン）、ステップ１７で焦点検出光学系４、焦点検出センサー５および焦点検出演算回路６により撮影レンズ２３のデフォーカス量を検出し、デフォーカス量からレンズ駆動量を算出してフォーカシングレンズ２１を駆動する。位相差検出方式ＡＦが終了したらステップ１８でメインミラー９とサブミラー１０を撮影光路から退避する（ミラーアップ）。なお、このステップ１７におけるデフォーカス量の検出は、上記ステップ９、１０でフォーカスエリアＦＡが変更されていた場合には、撮像素子２上で変更されたフォーカスエリアと位置的に一致する、またはその最近傍の焦点検出センサー５上でのフォーカスエリアに対して行われる。
【００３９】
なお、この一実施の形態ではコントラスト検出方式ＡＦと位相差検出方式ＡＦとを別の操作部材で実行指示する例を示したが、兼用の操作部材を用いて実行指示するようにしてもよい。その場合には、兼用の操作部材でどちらの方式のＡＦを実行するかを予めカスタム設定しておく。例えば、“手持ち撮影モード”が設定されているときは位相差検出方式ＡＦを、“固定撮影モード”が設定されているときはコントラスト検出方式ＡＦをそれぞれ自動的に選択するようにしておき、手持ち撮影モード時に上記兼用操作部材を操作したら位相差検出方式ＡＦを実行し、固定撮影モード時に上記兼用操作部材を操作したらコントラスト検出方式ＡＦを実行するものとする。
【００４０】
ステップ１９において操作部材１８のレリーズ全押しスイッチによりレリーズボタンの全押し操作が行われたか否かを確認し、レリーズボタンの全押し操作が行われていないときはステップ９へ戻り上述した処理を繰り返す。一方、レリーズボタンの全押し操作が行われたときはステップ２０へ進み、メインミラー９とサブミラー１０を撮影光路に戻し（ミラーダウン）、続くステップ２１でモニター１７によるライブビュー表示を終了する。ステップ２２では、測光用センサー１５により検出された被写体輝度に基づく露出制御を実行するとともに、ホワイトバランス制御を実行する。このフローから明らかなように、本実施の形態ではモニター１７の画面上に撮像素子２で撮影されている全画像を表示せしめる操作が加えられなければ、上述のステップ１０でシフトされた画像をモニター１７上に表示した状態のまま、あるいは上述のステップ１２で変更（拡大）された画像をモニター１７上に表示した状態のままでのレリーズボタンの全押しを許容するものである（拡大画像のままでレリーズを許容するものである）。
【００４１】
なお、ステップ２０〜２２の間に上記ステップ１７で説明したような位相差検出方式ＡＦを実行してもよい。しかしながら、ステップ１４でコントラスト検出方式ＡＦを行った場合には、ステップ２０〜２２の間にふたたびＡＦを行わない方が好ましい。
【００４２】
ステップ２３においてメインミラー９とサブミラー１０を撮影光路から退避させ（ミラーアップ）、ステップ２４で撮像素子２により撮影した画像を取り込む。ステップ２５で記録媒体（不図示）に撮影した画像を記録し、ステップ２６でモニター１７に撮影した画像を表示する。
【００４３】
このように、一実施の形態によれば、被写体像のスルー画像の中から拡大表示する拡大領域ＥＡの位置を設定し、拡大領域ＥＡに相当する被写体像を拡大して表示するときに、被写体像の拡大表示の最中に拡大領域ＥＡの位置の変更指示がなされると、被写体像の拡大表示状態を維持したまま拡大領域ＥＡを移動させ、その拡大領域ＥＡに相当する被写体像を表示するようにしたので、撮影画面内の任意の位置のピント状態やブレ状態を容易に確認することができる。
【００４４】
また、一実施の形態によれば、拡大領域ＥＡの被写体像を拡大して表示画面に表示したときに、表示画面に被写体像の欠落部３２が現れる場合には、撮影者がこの欠落部の出現を認識できるような表示形態で、欠落部３２を表示するようにしたので、撮影範囲を明確に認識させることができる。
【００４５】
一実施の形態によれば、表示画面中央に焦点検出位置ＦＡが来るように拡大領域ＥＡを設定するようにしたので、最も関心の高い焦点検出位置とその焦点検出位置を含む広い周辺のピント状態やブレ状態を確認することができる。
【００４６】
一実施の形態によれば、設定された拡大領域ＥＡの被写体像を拡大して表示画面に表示すると、表示画面に被写体像の欠落部３２が現れるか否かを判別し、欠落部３２が現れると判別された場合には、表示画面に欠落部３２が現れないように拡大領域ＥＡを変更するようにしたので、撮影範囲内の広い範囲の画像のピント状態やブレ状態を確認させることができる。
【００４７】
また、一実施の形態によれば、焦点検出位置ＦＡを含む拡大領域ＥＡを設定し、焦点検出位置ＦＡの移動に応じて拡大領域ＥＡを移動するようにしたので、焦点検出位置周辺のピント状態やブレ状態を確認することができる。なお、焦点検出位置ＦＡに限らず、撮影画面内の測光位置などの種々の撮影情報を検出したい位置を含むように拡大領域ＥＡを設定するようにしてもよい。これにより、撮影画面内の撮影情報を検出したい位置周辺のピント状態を確認することができる。
なお、本発明は一眼レフタイプのカメラだけでなく、コンパクトタイプのカメラにも適用可能である。
また、上述の実施の形態では、モニター１７上の画面に、全画像（例えば図２(ｂ)）の代わりに拡大画像（例えば図２(ｃ)）を表示するようにしているが、本発明はこれに限られるものではない。例えばモニター１７の画面を分割表示できるようにし、一方の分割画面に全画像を、他方の分割画面上に拡大画像を表示するようにしてもよい。あるいはモニター１７上の画面内に小画面（サムネイル画面）を表示できるようにし、その小画面に全画像または拡大画像を表示させ、その他方の画面（大きい画面）に他方の画像を表示するようにしてもよい。
【図面の簡単な説明】
【００４８】
【図１】一実施の形態のデジタル一眼レフカメラの構成を示す図
【図２】ライブビュー時の画像の拡大とフォーカスエリアの移動にともなうライブビュー画像の変化を示す図
【図３】モニター画面に被写体像欠落部を表示しない場合の、ライブビュー時の画像の拡大とフォーカスエリアの移動にともなうライブビュー画像の変化を示す図
【図４】一実施の形態の撮影処理を示すフローチャート
【図５】一実施の形態のエリア移動サブルーチンを示すフローチャート
【図６】一実施の形態の拡大縮小サブルーチンを示すフローチャート
【符号の説明】
【００４９】
２  撮像素子
４  焦点検出光学系
５  焦点検出センサー
６  焦点検出演算回路
７  カメラ制御回路
１７  ＬＣＤカラーモニター
【図１】
2008211630.tif 000003
【図２】
2008211630.tif 000004
【図３】
2008211630.tif 000005
【図４】
2008211630.tif 000006
【図５】
2008211630.tif 000007
【図６】
2008211630.tif 000008